Podtech/llm-jp-corpus-v4-ja_patent huggingface dataset:
【手続補正書】
【提出日】平成25年3月21日(2013.3.21)
【手続補正１】
【補正対象書類名】明細書
【補正対象項目名】発明の名称
【補正方法】変更
【補正の内容】
【発明の名称】プログラム及びゲームシステム。
【手続補正２】
【補正対象書類名】特許請求の範囲
【補正対象項目名】全文
【補正方法】変更
【補正の内容】
【特許請求の範囲】
【請求項１】
第１及び第２のプレーヤキャラクタのそれぞれに割り当てられた複数の文字列情報を設定し、少なくとも第１のプレーヤキャラクタに関連付けて文字列情報を表示させる制御を行う表示制御部と、
第１及び第２のプレーヤキャラクタのそれぞれに割り当てられた複数の文字列情報が、所定の分類基準に該当するか否かを判定する判定部としてコンピュータを機能させ、
前記表示制御部は、
第１及び第２のプレーヤキャラクタのそれぞれに割り当てられた複数の文字列情報が、所定の分類基準に該当すると判定された場合に、第１のプレーヤキャラクタに割り当てられた文字列情報と第２のプレーヤキャラクタに割り当てられた文字列情報とが同一分類に属するものであると判断して、第１及び第２のプレーヤキャラクタに関連付けて、第１のプレーヤに割り当てられた文字列情報、第２のプレーヤに割り当てられた文字列情報及び第１及び第２のプレーヤキャラクタに割り当てられた文字列情報と共通する意味を有する文字列情報の少なくとも１つを、当該文字列情報に対応する表示エリアを設定して表示させる制御を行うことを特徴とするプログラム。
【請求項２】
請求項１において、
前記表示制御部は、
第２のプレーヤキャラクタに割り当てられた文字列情報を第２のプレーヤキャラクタに関連付けて表示させた後に、第１及び第２のプレーヤキャラクタに関連付けて、第１のプレーヤに割り当てられた文字列情報、第２のプレーヤに割り当てられた文字列情報及び第１及び第２のプレーヤキャラクタに割り当てられた文字列情報と共通する意味を有する文字列情報の少なくとも１つを表示させる制御を行うことを特徴とするプログラム。
【請求項３】
請求項１又は２において、
前記表示制御部は、
プレーヤによる入力に応じて文字列情報を表示させ、
前記所定の分類基準に該当すると判定された文字列情報の入力回数に応じて、第１及び第２のプレーヤキャラクタに関連付けて表示させる文字列情報及び当該文字列情報に対応する表示エリアの少なくとも一方の表示態様を変化させることを特徴とするプログラム。
【請求項４】
請求項３において、
前記表示制御部は、
前記所定の分類基準に該当すると判定された文字列情報の入力回数に応じて、第１及び第２のプレーヤキャラクタに関連付けて表示させる文字列情報及び当該文字列情報に対応する表示エリアの少なくとも一方の大きさを変化させることを特徴とするプログラム。
【請求項５】
請求項１乃至４のいずれかにおいて、
前記表示制御部は、
プレーヤキャラクタの位置に基づき文字列情報の表示位置を制御することで、当該文字列情報を当該プレーヤキャラクタに関連付けて表示させることを特徴とするプログラム。
【請求項６】
請求項１乃至５のいずれかにおいて、
文字列情報は、予め登録された定型文字列情報であり、
前記表示制御部は、
プレーヤによって複数の前記定型文字列情報から１の定型文字列情報を選択する入力が行われた場合に、選択された定型文字列情報を当該プレーヤに対応するプレーヤキャラクタに関連付けて表示させる制御を行うことを特徴とするプログラム。
【請求項７】
請求項６において、
プレーヤによって選択された定型文字列情報に関するデータを他機にネットワークを介して送信し、他機から送信された定型文字列情報に関するデータをネットワークを介して受信する通信制御部として更にコンピュータを機能させ、
前記表示制御部は、
受信した定型文字列情報に関するデータによって特定される定型文字列情報を表示させる制御を行うことを特徴とするプログラム。
【請求項８】
第１及び第２のプレーヤキャラクタのそれぞれに割り当てられた複数の文字列情報を設定し、少なくとも第１のプレーヤキャラクタに関連付けて文字列情報を表示させる制御を行う表示制御部と、
第１及び第２のプレーヤキャラクタのそれぞれに割り当てられた複数の文字列情報が、所定の分類基準に該当するか否かを判定する判定部とを含み、
前記表示制御部は、
第１及び第２のプレーヤキャラクタのそれぞれに割り当てられた複数の文字列情報が、所定の分類基準に該当すると判定された場合に、第１のプレーヤキャラクタに割り当てられた文字列情報と第２のプレーヤキャラクタに割り当てられた文字列情報とが同一分類に属するものであると判断して、第１及び第２のプレーヤキャラクタに関連付けて、第１のプレーヤに割り当てられた文字列情報、第２のプレーヤに割り当てられた文字列情報及び第１及び第２のプレーヤキャラクタに割り当てられた文字列情報と共通する意味を有する文字列情報の少なくとも１つを、当該文字列情報に対応する表示エリアを設定して表示させる制御を行うことを特徴とするゲームシステム。
【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
油溜めの上方で油溜めと連設されるミシンベッドと、ミシンベッドの上方にミシンベッドと連設配置されるミシンアームと、ミシンベッドに回動可能に支持される下軸と、ミシンアームに回動可能に支持される上軸と、ミシンベッド内に配置され、油溜めの潤滑油をミシンアーム及びミシンベッドに供給する第１ポンプと、第１ポンプに取り込まれる潤滑油をミシンアーム内に輸送する輸送手段とを備えるミシンの給油装置において、ミシンアーム内には減速機構を介して上軸の回動に連動して動作する第２ポンプが設けられ、第２ポンプは、輸送手段により輸送される潤滑油を第２ポンプに取り込む導入手段と、導入手段により取り込んだ潤滑油の少なくとも一部をミシンアーム内の摺動部材に供給する供給手段とを備えることを特徴とする、ミシンの給油装置。
【請求項２】
第２ポンプは第２ポンプのボディを形成するケーシングを備え、ケーシングに回動可能に支持される第２ポンプ軸の回動で第２ポンプが動作し、減速機構は、上軸に固定される第１ウォームと、ケーシングに配置される回動軸に固定され、第１ウォームと係合する第１ウォームホイールと、回動軸に固定される第２ウォームと、第２ポンプ軸に固定され第２ウォームと係合する第２ウォームホイールとを備えることを特徴とする、請求項１に記載のミシンの給油装置。
【手続補正２】
【補正対象書類名】明細書
【補正対象項目名】００１２
【補正方法】変更
【補正の内容】
【００１２】
図１は本発明を適用した偏平縫いミシンの部分断面図である。図１に示すように、ミシンベッド２は油溜め１の上方で油溜め１と連設されている。下軸３はミシンベッド２内に水平に配置され、かつ回動可能にミシンベッド２に支持されている。ミシンベッド２の上部にはミシンアーム４が連設されている。上軸５はミシンアーム４に水平に配置され、ミシンアーム４に回動可能に支持されている。下軸３と上軸５にはタイミングベルト（図示せず）が掛架されており、ミシン用の駆動モータ（図示せず）に連動して下軸３と上軸５は一方向に回動する。上軸５の一端部にはクランク６がネジ１１で固定されている。クランク６にはピン（図示せず）の一端が挿通固定され、該ピンの他端は針棒クランクロッド７の上筒部７ａに挿通されており、上筒部７ａは該ピンの軸周りに回動可能である。針棒クランクロッド７の下筒部７ｂには針棒抱き８のピン部８ａが挿通され、針棒抱き８には針棒９がネジ２２で固定されている。針棒９はミシンアーム４に圧入されたブッシュ１０に上下動可能に支持されている。上述した構成により、上軸５の回動に連動して針棒９が上下運動する。
【手続補正３】
【補正対象書類名】明細書
【補正対象項目名】００２３
【補正方法】変更
【補正の内容】
【００２３】
以上のように構成された第２ポンプ機構の第１ウォーム３６，第１ウォームホイール３５，第２ウォーム３７，第２ウォームホイール４３からなる減速機構６３によれば、第１ウォーム３６，第２ウォーム３７の条数をａ１，ａ２、第１ウォームホイール３５，第２ウォームホイール４３の歯数をｂ１，ｂ２とすると、上軸５に対する第２ポンプ軸４２の減速比はａ１＊ａ２／ｂ１＊ｂ２となる。本実施例ではａ１＜ｂ１，ａ２＜ｂ２であるように設定しており、上軸５から一組のウォーム，ウォームホイールで連結されたポンプ軸が上軸５に対し得る減速比と比して、第２ポンプ軸４２は減速機構６３により上軸５に対し非常に大きな減速比を得ることができる。つまり、第２ポンプ３０は上軸５に連動しつつも、極めて微量な潤滑油を吐出可能となっている。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
被検眼に照射される第１及び第２の測定光を走査する走査手段と、
前記被検眼における第１及び第２の走査領域それぞれの一部の領域が重複する重複領域あるいは互いに近接する近接領域に照射される第１及び第２の測定光が、前記被検眼が所定の距離以下で固視微動する時間内に走査されるように、前記走査手段を制御する制御手段と、
を有することを特徴とする撮像装置。
【請求項２】
前記第１及び第２の走査領域が、主走査方向に対して交差する方向に並んでいることを特徴とする請求項１に記載の撮像装置。
【請求項３】
前記第１及び第２の走査領域の上側領域を主走査した後に下側領域を主走査、あるいは該下側領域を主走査した後に該上側領域を主走査することを特徴とする請求項１あるいは２に記載の撮像装置。
【請求項４】
前記第１及び第２の走査領域の上側領域と下側領域とを略交互に走査することを特徴とする請求項１乃至３のいずれか１項に記載の撮像装置。
【請求項５】
前記第１及び第２の走査領域の上側領域及び下側領域から略中心に向かうように、あるいは該略中心から該上側領域及び該下側領域に向かうように副走査することを特徴とする請求項１乃至４のいずれか１項に記載の撮像装置。
【請求項６】
副走査の後の主走査方向と、副走査の前の主走査方向とが逆であることを特徴とする請求項３乃至５のいずれか１項に記載の撮像装置。
【請求項７】
前記走査手段が、前記第１の測定光を走査する第１の走査手段と、前記第２の測定光を走査する第２の走査手段と、を有し、
前記制御手段が、前記第１の走査領域における前記第１の測定光の副走査方向と、前記第２の走査領域における前記第２の測定光の副走査方向とが逆になるように前記第１及び第２の走査手段を制御することを特徴とする請求項１あるいは２に記載の撮像装置。
【請求項８】
被検査物に照射される第１の測定光を走査する第１の走査手段と、
前記被検査物に照射される第２の測定光を走査する第２の走査手段と、
前記第１の測定光の副走査方向と前記第２の測定光の副走査方向とが異なる方向になるように、前記第１及び第２の走査手段を制御する制御手段と、
を有することを特徴とする撮像装置。
【請求項９】
被検眼における第１及び第２の走査領域をそれぞれ決定する工程と、
前記第１及び第２の走査領域それぞれの一部の領域が重複する重複領域あるいは互いに近接する近接領域に照射される第１及び第２の測定光を、前記被検眼が所定の距離以下で固視微動する時間内に走査する工程と、
を含むことを特徴とする撮像方法。
【請求項１０】
前記第１及び第２の走査領域が、主走査方向に対して交差する方向に並んでいることを特徴とする請求項９に記載の撮像方法。
【請求項１１】
前記第１及び第２の走査領域の上側領域を主走査した後に下側領域を主走査、あるいは該下側領域を主走査した後に該上側領域を主走査することを特徴とする請求項９あるいは１０に記載の撮像方法。
【請求項１２】
請求項９乃至１１のいずれか１項に記載の撮像方法の各工程をコンピュータに実行させることを特徴とするプログラム。
【手続補正２】
【補正対象書類名】明細書
【補正対象項目名】０００８
【補正方法】変更
【補正の内容】
【０００８】
本発明に係る撮像装置は、
被検眼に照射される第１及び第２の測定光を走査する走査手段と、
前記被検眼における第１及び第２の走査領域それぞれの一部の領域が重複する重複領域あるいは互いに近接する近接領域に照射される前記第１及び第２の測定光が、前記被検眼が所定の距離以下で固視微動する時間内に走査されるように、前記走査手段を制御する制御手段と、を有する。
【手続補正３】
【補正対象書類名】明細書
【補正対象項目名】０００９
【補正方法】変更
【補正の内容】
【０００９】
また、別の本発明に係る撮像装置は、
被検査物に照射される第１の測定光を走査する第１の走査手段と、
前記被検査物に照射される第２の測定光を走査する第２の走査手段と、
前記第１の測定光の副走査方向と前記第２の測定光の副走査方向とが異なる方向になるように、前記第１及び第２の走査手段を制御する制御手段と、を有する。
【手続補正４】
【補正対象書類名】明細書
【補正対象項目名】００１０
【補正方法】変更
【補正の内容】
【００１０】
また、本発明に係る撮像方法は、
被検眼における第１及び第２の走査領域をそれぞれ決定する工程と、
前記第１及び第２の走査領域それぞれの一部の領域が重複する重複領域あるいは互いに近接する近接領域に照射される第１及び第２の測定光を、前記被検眼が所定の距離以下で固視微動する時間内に走査する工程と、を含む。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
被検査物に対して複数の測定光を走査する走査手段と、
前記被検査物における前記複数の測定光の走査領域の重複領域の大きさを指示する指示手段と、
前記指示手段により指示された前記重複領域の大きさに応じて、前記走査領域の中心間距離と該走査領域の大きさとのうち少なくとも一方を変更する変更手段と、
を有することを特徴とする撮像装置。
【請求項２】
被検査物に対して複数の測定光を走査する走査手段と、
前記被検査物における前記複数の測定光の走査領域の中心間距離を指示する指示手段と、
前記指示手段により指示された前記走査領域の中心間距離に応じて、該走査領域の大きさを変更する変更手段と、
を有することを特徴とする撮像装置。
【請求項３】
被検査物に対して複数の測定光を走査する走査手段と、
前記被検査物における前記複数の測定光の走査領域の大きさを指示する指示手段と、
前記指示手段により指示された前記走査領域の大きさに応じて、該走査領域の中心間距離を変更する変更手段と、
を有することを特徴とする撮像装置。
【請求項４】
前記複数の測定光を前記被検査物に射出する複数のファイバ端と、
前記複数のファイバ端を移動させる移動手段と、を有し、
前記変更手段が、前記ファイバ端の移動により、前記走査領域の中心間距離を変更することを特徴とする請求項１乃至３のいずれか１項に記載の撮像装置。
【請求項５】
前記走査手段が、前記複数の測定光を走査する共通の走査ミラーを有し、
前記変更手段が、前記走査ミラーの走査角度の変更により、前記走査領域の大きさを変更することを特徴とする請求項１乃至４のいずれか１項に記載の撮像装置。
【請求項６】
前記指示手段の機能を有する画像を表示手段に表示する表示制御手段を有することを特徴とする請求項１乃至５のいずれか１項に記載の撮像装置。
【請求項７】
前記走査領域の中心間距離の変更が、前記被検査物における前記複数の測定光の照射位置間隔の変更であることを特徴とする請求項１乃至６のいずれか１項に記載の撮像装置。
【請求項８】
前記変更手段が、前記複数の測定光の走査領域同士が重複しないように前記走査手段により前記複数の測定光が走査された後に、前記走査領域の中心間距離と該走査領域の大きさとのうち少なくとも一方を変更することを特徴とする請求項１乃至７のいずれか１項に記載の撮像装置。
【請求項９】
前記被検査物は眼であり、
前記指示手段が、前記眼の眼底の黄斑、視神経乳頭、疾患のうち少なくとも１つの領域に応じて、前記走査領域の重複領域の大きさを指示することを特徴とする請求項１乃至８のいずれか１項に記載の撮像装置。
【請求項１０】
前記変更手段による変更の後に、前記複数の測定光を照射した前記被検査物からの複数の戻り光と、該複数の測定光にそれぞれ対応する複数の参照光とをそれぞれ合波した複数の光に基づいて、該被検査物の光干渉断層画像を取得する取得手段を有することを特徴とする請求項１乃至９のいずれか１項に記載の撮像装置。
【請求項１１】
前記被検査物は眼であり、
前記取得手段が、前記重複領域における少なくとも２つの光干渉断層画像を平均化して、前記眼の眼底の黄斑と視神経乳頭と疾患とのうち少なくとも１つの領域の光干渉断層画像を取得することを特徴とする請求項１０に記載の撮像装置。
【請求項１２】
被検査物における複数の測定光の走査領域の重複領域の大きさを指示する工程と、
前記指示された前記重複領域の大きさに応じて、前記走査領域の中心間距離と該走査領域の大きさとのうち少なくとも一方を変更する工程と、
を含むことを特徴とする撮像方法。
【請求項１３】
被検査物における複数の測定光の走査領域の中心間距離を指示する工程と、
前記指示された前記走査領域の中心間距離に応じて、該走査領域の大きさを変更する工程と、
を含むことを特徴とする撮像方法。
【請求項１４】
被検査物における複数の測定光の走査領域の大きさを指示する工程と、
前記指示された前記走査領域の大きさに応じて、該走査領域の中心間距離を変更する工程と、
を含むことを特徴とする撮像方法。
【請求項１５】
前記被検査物は眼であり、
前記指示する工程において、前記眼の眼底の黄斑、視神経乳頭、疾患のうち少なくとも１つの領域に応じて、前記走査領域の重複領域の大きさを指示することを特徴とする請求項１２乃至１４のいずれか１項に記載の撮像方法。
【請求項１６】
前記変更する工程の後に、前記複数の測定光を照射した前記被検査物からの複数の戻り光と、該複数の測定光にそれぞれ対応する複数の参照光とをそれぞれ合波した複数の光に基づいて、該被検査物の光干渉断層画像を取得する工程を含むことを特徴とする請求項１２乃至１５のいずれか１項に記載の撮像方法。
【請求項１７】
請求項１２乃至１６のいずれか１項に記載の撮像方法の各工程をコンピュータに実行させることを特徴とするプログラム。
【手続補正２】
【補正対象書類名】明細書
【補正対象項目名】０００７
【補正方法】変更
【補正の内容】
【０００７】
本発明に係る撮像装置は、
被検査物に対して複数の測定光を走査する走査手段と、
前記被検査物における前記複数の測定光の走査領域の重複領域の大きさを指示する指示手段と、
前記指示手段により指示された前記重複領域の大きさに応じて、前記走査領域の中心間距離と該走査領域の大きさとのうち少なくとも一方を変更する変更手段と、を有する。
【手続補正３】
【補正対象書類名】明細書
【補正対象項目名】０００８
【補正方法】変更
【補正の内容】
【０００８】
また、別の本発明に係る撮像装置は、
被検査物に対して複数の測定光を走査する走査手段と、
前記被検査物における前記複数の測定光の走査領域の中心間距離を指示する指示手段と、
前記指示手段により指示された前記走査領域の中心間距離に応じて、該走査領域の大きさを変更する変更手段と、を有する。
また、別の本発明に係る撮像装置は、
被検査物に対して複数の測定光を走査する走査手段と、
前記被検査物における前記複数の測定光の走査領域の大きさを指示する指示手段と、
前記指示手段により指示された前記走査領域の大きさに応じて、該走査領域の中心間距離を変更する変更手段と、を有する。
【手続補正４】
【補正対象書類名】明細書
【補正対象項目名】０００９
【補正方法】変更
【補正の内容】
【０００９】
また、本発明に係る撮像方法は、
被検査物における複数の測定光の走査領域の重複領域の大きさを指示する工程と、
前記指示された前記重複領域の大きさに応じて、前記走査領域の中心間距離と該走査領域の大きさとのうち少なくとも一方を変更する工程と、を含む。
【手続補正５】
【補正対象書類名】明細書
【補正対象項目名】００１０
【補正方法】変更
【補正の内容】
【００１０】
また、別の本発明に係る撮像方法は、
被検査物における複数の測定光の走査領域の中心間距離を指示する工程と、
前記指示された前記走査領域の中心間距離に応じて、該走査領域の大きさを変更する工程と、を含む。
また、別の本発明に係る撮像方法は、
被検査物における複数の測定光の走査領域の大きさを指示する工程と、
前記指示された前記走査領域の大きさに応じて、該走査領域の中心間距離を変更する工程と、を含む。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
光源と、該光源から出射された光束の進行方向を変えるための少なくとも一つの光スキャナとを有し、眼底に向けて走査光を照射するための光走査光学系と、
前記眼底を照明する照明光を照射する照明光学系、前記照明光により照明された眼底の正面像を二次元撮像素子により撮像する撮像光学系、を有する眼底観察光学系と、
前記光スキャナの駆動を制御して前記二次元撮像素子に走査光を撮像させると共に、前記二次元撮像素子からの撮像画像における前記走査光を検出することにより前記走査光の始点と終点までの距離をピクセル単位で求め、求められた距離に基づいて単位ピクセル当たりの前記走査光の画角情報を求める走査光検出手段と、
所定のフレームレートにて前記二次元撮像素子から出力される撮像画像に基づいて眼底の位置ずれ情報をピクセル単位で検出する位置ずれ検出手段と、
前記位置ずれ検出手段の検出結果に基づいて前記光スキャナの駆動を制御し、前記光走査光学系による走査位置のずれが補正されるように眼底上における走査光の走査位置を補正する走査位置補正手段であり、前記走査光検出手段の検出結果に基づいてピクセル単位で検出される前記位置ずれ情報に対する前記光スキャナの駆動量を設定する走査位置補正手段と、を備え、前記走査光により被検眼眼底の撮影又は治療を行う光走査型眼科装置。
【請求項２】
請求項１の前記光走査光学系は、該光源から出射された光束を測定光束と参照光束に分けるビームスプリッタを有し、眼底で反射した測定光束と参照光束との合成により得られる干渉光を第１の受光素子により検出する干渉光学系であって、
前記干渉光学系及び前記光スキャナ及びを制御し、被検眼眼底のある走査範囲を連続的に走査し、前記受光素子からの信号に基づいて眼底断層像を取得する撮影制御手段を備えることを特徴とする光走査型眼科装置。
【請求項３】
光源と、該光源から出射された光束の進行方向を変えるための少なくとも一つの光スキャナとを有し、眼底に向けて走査光を照射するための光走査光学系と、
前記眼底を照明する照明光を照射する照明光学系、前記照明光により照明された眼底の正面像を二次元撮像素子により撮像する撮像光学系、を有する眼底観察光学系と、
前記光スキャナの駆動を制御して前記二次元撮像素子に走査光を撮像させると共に、前記二次元撮像素子からの撮像画像における前記走査光を検出することにより前記走査光の始点と終点までの距離をピクセル単位で求める走査光手段と、
を備え、前記走査光により被検眼眼底の撮影又は治療を行う光走査型眼科装置。
【手続補正２】
【補正対象書類名】明細書
【補正対象項目名】０００７
【補正方法】変更
【補正の内容】
【０００７】
請求項１に係る本発明は、上記問題点を鑑み、被検眼の眼球運動があっても、眼底上の所定位置に正確に光束を照射できる光走査型眼科装置を提供することを技術課題とする。
【手続補正３】
【補正対象書類名】明細書
【補正対象項目名】０００９
【補正方法】変更
【補正の内容】
【０００９】
（１）  
光源と、該光源から出射された光束の進行方向を変えるための少なくとも一つの光スキャナとを有し、眼底に向けて走査光を照射するための光走査光学系と、
前記眼底を照明する照明光を照射する照明光学系、前記照明光により照明された眼底の正面像を二次元撮像素子により撮像する撮像光学系、を有する眼底観察光学系と、
前記光スキャナの駆動を制御して前記二次元撮像素子に走査光を撮像させると共に、前記二次元撮像素子からの撮像画像における前記走査光を検出することにより前記走査光の始点と終点までの距離をピクセル単位で求め、求められた距離に基づいて単位ピクセル当たりの前記走査光の画角情報を求める走査光検出手段と、
所定のフレームレートにて前記二次元撮像素子から出力される撮像画像に基づいて眼底の位置ずれ情報をピクセル単位で検出する位置ずれ検出手段と、
前記位置ずれ検出手段の検出結果に基づいて前記光スキャナの駆動を制御し、前記光走査光学系による走査位置のずれが補正されるように眼底上における走査光の走査位置を補正する走査位置補正手段であり、前記走査光検出手段の検出結果に基づいてピクセル単位で検出される前記位置ずれ情報に対する前記光スキャナの駆動量を設定する走査位置補正手段と、を備え、前記走査光により被検眼眼底の撮影又は治療を行う光走査型眼科装置。
（２）  （１）の前記光走査光学系は、該光源から出射された光束を測定光束と参照光束に分けるビームスプリッタを有し、眼底で反射した測定光束と参照光束との合成により得られる干渉光を第１の受光素子により検出する干渉光学系であって、
前記干渉光学系及び前記光スキャナ及びを制御し、被検眼眼底のある走査範囲を連続的に走査し、前記受光素子からの信号に基づいて眼底断層像を取得する撮影制御手段を備えることを特徴とする光走査型眼科装置。
（３）  
光源と、該光源から出射された光束の進行方向を変えるための少なくとも一つの光スキャナとを有し、眼底に向けて走査光を照射するための光走査光学系と、
前記眼底を照明する照明光を照射する照明光学系、前記照明光により照明された眼底の正面像を二次元撮像素子により撮像する撮像光学系、を有する眼底観察光学系と、
前記光スキャナの駆動を制御して前記二次元撮像素子に走査光を撮像させると共に、前記二次元撮像素子からの撮像画像における前記走査光を検出することにより前記走査光の始点と終点までの距離をピクセル単位で求める走査光検出手段と、
を備え、前記走査光により被検眼眼底の撮影又は治療を行う。
【手続補正４】
【補正対象書類名】明細書
【補正対象項目名】００１０
【補正方法】変更
【補正の内容】
【００１０】
請求項１に係る本発明によれば、被検眼の眼球運動があっても、眼底上の所定位置に正確に光束を照射できる。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
赤外光を用いて観察を行うための無散瞳用の光学系と、
可視光を用いて観察を行うための散瞳用の光学系とを有する眼底撮影装置において、
赤外光によるアライメント指標を被検者眼に投影するアライメント指標投影光学系と、
被検者眼に投影された前記アライメント指標の受光状態に基づいて被検者眼と装置とのアライメントを行うためのアライメント制御手段と、
散瞳型撮影モードと無散瞳型撮影モードとを選択するためのモード選択手段と、
前記散瞳型撮影モードが選択されている場合に前記アライメント制御手段により所定のアライメント状態が得られた後，被検者眼に向けて照射する照明用の光を赤外光から可視光に切り換える照明光切換手段と、
を有することを特徴とする眼底撮影装置。
【請求項２】
請求項１の眼底撮影装置において、
前記無散瞳用光学系と前記散瞳用光学系の共通の光学系として，可視域及び赤外域の光を発する光源を持ち該光源から発せられる光を被検者眼に向けて導光させる光学系を持つ照明光学系と、
該照明光学系により照明された被検者眼の眼底を撮像する第１撮影手段を持つ眼底観察光学系と、前記アライメント指標投影光学系によりアライメント指標が投影された被検者眼の前眼部を撮像する第２撮影手段を持つ前眼部観察光学系と、
該前眼部観察光学系の光路の一部と前記照明光学系の光路の一部とを同軸とするために前記照明光学系の光路に挿脱可能に配置されるダイクロイックミラーであって，前記アライメント指標を反射させて前記前眼部観察光学系に導光させるとともに前記アライメント指標の波長以外の他の赤外光の少なくとも一部の波長域を透過させるダイクロイックミラーと、を有し、
前記照明光切換手段は前記ダイクロイックミラーを光路から挿脱させることにより赤外光と可視光とを切り換えることを特徴とする眼底撮影装置。
【請求項３】
請求項２の眼底撮影装置は、
可視から赤外域の波長の光を発する第２の光源を持ち該第２光源からの光をフォーカス指標として被検者眼眼底に向けて投影するためのフォーカス指標投影光学系を備え、
前記フォーカス指標は前記ダイクロイックミラーの挿入時には該ダイクロイックミラーを介することにより赤外域の波長のフォーカス指標として被検者眼眼底に投影され、前記ダイクロイックミラーの離脱時には可視域の波長のフォーカス指標として被検者眼眼底に投影されることを特徴とする眼底撮影装置。
【請求項４】
請求項３の眼底撮影装置において、
前記第１撮影手段は可視域から赤外域まで感度を持つ撮像素子であることを特徴とする眼底撮影装置。
【手続補正２】
【補正対象書類名】明細書
【補正対象項目名】０００７
【補正方法】変更
【補正の内容】
【０００７】
（１）  赤外光を用いて観察を行うための無散瞳用の光学系と、可視光を用いて観察を行うための散瞳用の光学系とを有する眼底撮影装置において、赤外光によるアライメント指標を被検者眼に投影するアライメント指標投影光学系と、被検者眼に投影された前記アライメント指標の受光状態に基づいて被検者眼と装置とのアライメントを行うためのアライメント制御手段と、散瞳型撮影モードと無散瞳型撮影モードとを選択するためのモード選択手段と、前記散瞳型撮影モードが選択されている場合に前記アライメント制御手段により所定のアライメント状態が得られた後，被検者眼に向けて照射する照明用の光を赤外光から可視光に切り換える照明光切換手段と、を有することを特徴とする。
（２）  （１）の眼底撮影装置において、前記無散瞳用光学系と前記散瞳用光学系の共通の光学系として，可視域及び赤外域の光を発する光源を持ち該光源から発せられる光を被検者眼に向けて導光させる光学系を持つ照明光学系と、該照明光学系により照明された被検者眼の眼底を撮像する第１撮影手段を持つ眼底観察光学系と、前記アライメント指標投影光学系によりアライメント指標が投影された被検者眼の前眼部を撮像する第２撮影手段を持つ前眼部観察光学系と、該前眼部観察光学系の光路の一部と前記照明光学系の光路の一部とを同軸とするために前記照明光学系の光路に挿脱可能に配置されるダイクロイックミラーであって，前記アライメント指標を反射させて前記前眼部観察光学系に導光させるとともに前記アライメント指標の波長以外の他の赤外光の少なくとも一部の波長域を透過させるダイクロイックミラーと、を有し、前記照明光切換手段は前記ダイクロイックミラーを光路から挿脱させることにより赤外光と可視光とを切り換えることを特徴とする。
（３）  （２）の眼底撮影装置は、可視から赤外域の波長の光を発する第２の光源を持ち該第２光源からの光をフォーカス指標として被検者眼眼底に向けて投影するためのフォーカス指標投影光学系を備え、前記フォーカス指標は前記ダイクロイックミラーの挿入時には該ダイクロイックミラーを介することにより赤外域の波長のフォーカス指標として被検者眼眼底に投影され、前記ダイクロイックミラーの離脱時には可視域の波長のフォーカス指標として被検者眼眼底に投影されることを特徴とする。
（４）  （３）の眼底撮影装置において、前記第１撮影手段は可視域から赤外域まで感度を持つ撮像素子であることを特徴とする。
【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
食物を口腔内に取り込むさじ部と、
前記さじ部の近傍に設けられ、被験者の唇の近傍に取り付けられた磁石との作用で変化する磁界を検出する磁界変化検出部と、
を備えた摂食機能評価用スプーン。
【請求項２】
請求項１記載の摂食機能評価用スプーンにおいて、
前記磁界変化検出部は、励磁用コイルと検出用コイルとを有し、
前記励磁用コイルで所定の周波数の信号による励磁処理を行い、前記検出用コイルでの前記周波数の信号の検出状態の変化から磁界変化検出を行う構成とした摂食機能評価用スプーン。
【請求項３】
請求項１又は２記載の摂食機能評価用スプーンにおいて、
前記磁界変化検出部は、ホール素子を有し、
前記ホール素子から磁界変化検出を行う構成とした摂食機能評価用スプーン。
【請求項４】
請求項１〜３のいずれか１項に記載の摂食機能評価用スプーンにおいて、
前記さじ部に加わる荷重を検出する歪ゲージを備えた摂食機能評価用スプーン。
【請求項５】
被験者の唇の近傍に磁石を取り付けて被験者の摂食機能を評価する摂食機能評価システムであり、
食物を口腔内に取り込むさじ部と、前記さじ部の近傍に設けられた磁界変化検出部とを有したスプーンと、
前記被験者の摂食機能に関する複数の波形を検出するセンサ部と、
前記スプーンの磁界変化検出部で検出された前記磁石による磁界変化から、前記さじ部が唇に接近して口腔内に挿入したタイミングを検出し、前記タイミング後に前記の検出センサ部で検出される複数の波形から摂食機能に関する評価を行う評価部と、
を備えた摂食機能評価システム。
【請求項６】
請求項５記載の摂食機能評価システムにおいて、
前記スプーンの磁界変化検出部として、励磁用コイルと検出用コイルとを有し、
前記励磁用コイルで所定の周波数の信号による励磁処理を行い、前記検出用コイルでの前記周波数の信号の検出状態の変化から、前記磁石による磁界変化検出を行う摂食機能評価システム。
【請求項７】
請求項５又は６記載の摂食機能評価システムにおいて、
前記磁界変化検出部として、ホール素子を有し、
前記ホール素子から磁界変化検出を行う構成とした摂食機能評価システム。
【請求項８】
請求項５〜７のいずれか１項に記載の摂食機能評価システムにおいて、
前記スプーンは前記さじ部に加わる荷重を検出する歪ゲージを備え、
前記評価部は、前記歪ゲージで検出された荷重から、被験者の口腔内に取り込んだ食物の重さを判断する摂食機能評価システム。
【請求項９】
請求項８記載の摂食機能評価システムにおいて、
さらに、前記スプーンの磁界変化検出部で検出された前記磁石による磁界変化から前記さじ部の口腔内からの取り出しを検出した後に、前記歪ゲージで検出された荷重から、食物の取り残しを判断する摂食機能評価システム。
【請求項１０】
被験者の唇の近傍に磁石を取り付けて被験者の摂食機能を評価する摂食機能評価システムにおける摂食機能評価方法であり、
前記摂食機能評価システムが、
食物を口腔内に取り込むさじ部の近傍に磁界変化検出部を備えたスプーンの前記磁界変化検出部で検出された前記磁石による磁界変化から、前記さじ部が唇に接近して口腔内に挿入されたタイミングを検出し、前記タイミング後にセンサ部で検出される前記被験者の摂食機能に関する複数の波形から摂食機能に関する評価を行う摂食機能評価方法。
【手続補正２】
【補正対象書類名】明細書
【補正対象項目名】００１２
【補正方法】変更
【補正の内容】
【００１２】
本発明の摂食機能評価用スプーンは、食物を口腔内に取り込むさじ部を備えたスプーンにおいて、そのさじ部の近傍に被験者の唇の近傍に取り付けられた磁石との作用で変化する磁界を検出する磁界変化検出部を設けたものである。
このように構成したことで、被験者の唇の近傍に磁石を取り付けておくことで、さじ部が唇に接近して口腔内に挿入したタイミングを判断できるようになる。従って、そのさじ部が唇に接近して口腔内に挿入したタイミングをトリガとして、摂食機能を評価できるようになる。
【手続補正３】
【補正対象書類名】明細書
【補正対象項目名】００１３
【補正方法】変更
【補正の内容】
【００１３】
また本発明の摂食機能評価システム及び摂食機能評価方法は、被験者の唇の近傍に磁石を取り付けて被験者の摂食機能を評価するものである。
スプーンは、食物を口腔内に取り込むさじ部を備えたスプーンにおいて、そのさじ部の近傍に磁界変化検出部を設けたものを使用する。
そして、被験者の嚥下反射などの反応を検出する検出センサ部を設け、スプーンの磁界変化検出部で検出された磁石による磁界変化から、さじ部が唇に接近して口腔内に挿入したタイミングを検出し、検出したタイミング後に検出センサ部で検出される被験者の摂食機能に関する複数の波形から、摂食機能の評価を行うものである。
このように評価を行うことで、食物を口腔内に挿入したタイミングが判り、摂食機能についての評価を、介護者がスイッチなどを操作することなく正確に行えるようになる。
【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
同一患者の同一被検眼における眼底についての複数の断層画像を記憶する記憶手段と、
前記複数の断層画像の各々について、網膜色素上皮の境界と内境界膜とを検出するとともに、前記網膜色素上皮の境界が不連続となる部分を検出する検出手段と、
前記複数の断層画像の各々において、前記網膜色素上皮の境界と前記内境界膜とを用いて強膜モデルの面を決定する決定手段と、
前記強膜モデルの面と前記網膜色素上皮の境界が不連続となる部分とを用いて視神経乳頭外縁を含む強膜モデルを生成する生成手段と、
前記複数の断層画像の各々と前記強膜モデルとを合成して合成画像を生成する合成手段と、
前記合成手段で生成した合成画像を表示する表示手段と
を備えることを特徴とする画像処理装置。
【請求項２】
同一患者の同一被検眼における眼底についての複数の断層画像と眼底画像とを記憶する記憶手段と、
前記複数の断層画像の各々について、網膜色素上皮の境界と内境界膜とを検出する第１検出手段と、
前記眼底画像について、視神経乳頭外縁を検出する第２検出手段と、
前記眼底画像と前記複数の断層画像との位置合わせを行い、前記眼底画像から検出された視神経乳頭外縁を用いて、前記断層画像で前記網膜色素上皮の境界が不連続となる部分を特定する特定手段と、
前記複数の断層画像の各々において、前記網膜色素上皮の境界と前記内境界膜とを用いて強膜モデルの面を決定する決定手段と、
前記強膜モデルの面と前記特定した境界が不連続となる部分とを用いて視神経乳頭外縁を含む強膜モデルを生成する生成手段と、
前記複数の断層画像の各々と前記強膜モデルとを合成して合成画像を生成する合成手段と、
前記合成手段で生成した合成画像を表示する表示手段と
を備えることを特徴とする画像処理装置。
【請求項３】
前記決定手段は、前記網膜色素上皮と前記内境界膜との距離だけ前記網膜色素上皮の境界を前記内境界膜から遠ざかる方向へ移動することで強膜モデルの面を決定することを特徴とする請求項１または２に記載の画像処理装置。
【請求項４】
前記特定手段は、前記網膜色素上皮の境界と前記視神経乳頭外縁とを用いて、前記複数の断層画像から得られる輝度値を内境界膜から網膜色素上皮の境界の方向に向かって積算した積算画像と前記眼底画像とを重ね合わせることにより位置合わせを行うことを特徴とする請求項２に記載の画像処理装置。
【請求項５】
画像処理装置の制御方法であって、
記憶手段が、同一患者の同一被検眼における眼底についての複数の断層画像を記憶する記憶工程と、
検出手段が、前記複数の断層画像の各々について、網膜色素上皮の境界と内境界膜とを検出するとともに、前記網膜色素上皮の境界が不連続となる部分を検出する検出工程と、
決定手段が、前記複数の断層画像の各々において、前記網膜色素上皮の境界と前記内境界膜とを用いて強膜モデルの面を決定する決定工程と、
生成手段が、前記強膜モデルの面と前記網膜色素上皮の境界が不連続となる部分とを用いて視神経乳頭外縁を含む強膜モデルを生成する生成工程と、
合成手段が、前記複数の断層画像の各々と前記強膜モデルとを合成して合成画像を生成する合成工程と、
表示手段が、前記合成工程で生成した合成画像を表示する表示工程と
を備えることを特徴とする制御方法。
【請求項６】
画像処理装置の制御方法であって、
記憶手段が、同一患者の同一被検眼における眼底についての複数の断層画像と眼底画像とを記憶する記憶工程と、
第１検出手段が、前記複数の断層画像の各々について、網膜色素上皮の境界と内境界膜とを検出する第１検出工程と、
第２検出手段が、前記眼底画像について、視神経乳頭外縁を検出する第２検出工程と、
特定手段が、前記眼底画像と前記複数の断層画像との位置合わせを行い、前記眼底画像から検出された視神経乳頭外縁を用いて、前記断層画像で前記網膜色素上皮の境界が不連続となる部分を特定する特定工程と、
決定手段が、前記複数の断層画像の各々において、前記網膜色素上皮の境界と前記内境界膜とを用いて強膜モデルの面を決定する決定工程と、
生成手段が、前記強膜モデルの面と前記特定した境界が不連続となる部分とを用いて視神経乳頭外縁を含む強膜モデルを生成する生成工程と、
合成手段が、前記複数の断層画像の各々と前記強膜のモデルとを合成して合成画像を生成する合成工程と、
表示手段が、前記合成工程で生成した合成画像を表示する表示工程と
を備えることを特徴とする制御方法。
【請求項７】
請求項５または６に記載の画像処理装置の制御方法の各工程をコンピュータに実行させるためのプログラム。
【手続補正２】
【補正対象書類名】明細書
【補正対象項目名】０００９
【補正方法】変更
【補正の内容】
【０００９】
上記の課題を解決するため、１つの側面に係る画像処理装置は、同一患者の同一被検眼における眼底についての複数の断層画像を記憶する記憶手段と、前記複数の断層画像の各々について、網膜色素上皮の境界と内境界膜とを検出するとともに、前記網膜色素上皮の境界が不連続となる部分を検出する検出手段と、前記複数の断層画像の各々において、前記網膜色素上皮の境界と前記内境界膜とを用いて強膜モデルの面を決定する決定手段と、前記強膜モデルの面と前記網膜色素上皮の境界が不連続となる部分とを用いて視神経乳頭外縁を含む強膜モデルを生成する生成手段と、前記複数の断層画像の各々と前記強膜モデルとを合成して合成画像を生成する合成手段と、前記合成手段で生成した合成画像を表示する表示手段とを備えることを特徴とする。
別の側面に係る画像処理装置は、同一患者の同一被検眼における眼底についての複数の断層画像と眼底画像とを記憶する記憶手段と、前記複数の断層画像の各々について、網膜色素上皮の境界と内境界膜とを検出する第１検出手段と、前記眼底画像について、視神経乳頭外縁を検出する第２検出手段と、前記眼底画像と前記複数の断層画像との位置合わせを行い、前記眼底画像から検出された視神経乳頭外縁を用いて、前記断層画像で前記網膜色素上皮の境界が不連続となる部分を特定する特定手段と、前記複数の断層画像の各々において、前記網膜色素上皮の境界と前記内境界膜とを用いて強膜モデルの面を決定する決定手段と、前記強膜モデルの面と前記特定した境界が不連続となる部分とを用いて視神経乳頭外縁を含む強膜モデルを生成する生成手段と、前記複数の断層画像の各々と前記強膜モデルとを合成して合成画像を生成する合成手段と、前記合成手段で生成した合成画像を表示する表示手段とを備えることを特徴とする。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
被検者眼眼底を撮影する眼底撮影装置において、
可視域及び赤外域の光を発する光源を持ち，該光源から発する光をフォーカス用指標として被検者眼眼底に投影するフォーカス指標投影光学系であって，赤外域の光のみを透過させる光学部材を光路上に挿脱させることにより赤外のフォーカス指標又は可視のフォーカス指標を選択的に形成させるフォーカス指標投影光学系と、
可視域及び赤外域に感度を有する撮像素子を持ち，被検者眼眼底から反射される赤外光を前記撮像素子にて受光して観察画像とし、被検者眼眼底から反射される可視光を前記撮像素子にて受光して撮影画像とするための観察・撮影光学系と、
該観察・撮影光学系により得られる観察画像及び撮影画像をモニタに表示させる表示制御手段と、を有し、
該表示制御手段は前記赤外のフォーカス指標を受光することによって得られるフォーカス状態を補正して前記モニタに前記観察画像とともに電子的に生成したフォーカス指標を表示させることを特徴とする眼底撮影装置。
【請求項２】
請求項１の眼底撮影装置は、
被検者眼にアライメント指標を投影するアライメント指標投影光学系と、該アライメント指標投影光学系によりアライメント指標が投影された被検者眼の前眼部を撮影する前眼部観察光学系と、該前眼部観察光学系の光路の一部と前記観察・撮影光学系の光路の一部とを同軸とするために前記赤外光用観察光学系及び可視光用観察光学系の共通光路に挿脱可能に配置されるダイクロイックミラーであって，前記アライメント指標を反射させて前記前眼部観察光学系に導光させるとともに前記アライメント指標の波長以外の他の赤外光の少なくとも一部の波長域を透過させるダイクロイックミラーと、を有し、
前記ダイクロイックミラーは光路から挿脱されることにより前記赤外のフォーカス指標と前記可視のフォーカス指標とを切り換える前記光学部材を兼ねることを特徴とする眼底撮影装置。
【請求項３】
請求項２の眼底撮影装置は、
散瞳方式の眼底撮影を行うために検者が肉眼で被検者眼眼底を観察するための接眼レンズを持つことを特徴とする眼底撮影装置。
【手続補正２】
【補正対象書類名】明細書
【補正対象項目名】０００７
【補正方法】変更
【補正の内容】
【０００７】
（１）  被検者眼眼底を撮影する眼底撮影装置において、可視域及び赤外域の光を発する光源を持ち，該光源から発する光をフォーカス用指標として被検者眼眼底に投影するフォーカス指標投影光学系であって，赤外域の光のみを透過させる光学部材を光路上に挿脱させることにより赤外のフォーカス指標又は可視のフォーカス指標を選択的に形成させるフォーカス指標投影光学系と、可視域及び赤外域に感度を有する撮像素子を持ち，被検者眼眼底から反射される赤外光を前記撮像素子にて受光して観察画像とし、被検者眼眼底から反射される可視光を前記撮像素子にて受光して撮影画像とするための観察・撮影光学系と、該観察・撮影光学系により得られる観察画像及び撮影画像をモニタに表示させる表示制御手段と、を有し、該表示制御手段は前記赤外のフォーカス指標を受光することによって得られるフォーカス状態を補正して前記モニタに前記観察画像とともに電子的に生成したフォーカス指標を表示させることを特徴とする。
（２）  （１）の眼底撮影装置は、被検者眼にアライメント指標を投影するアライメント指標投影光学系と、該アライメント指標投影光学系によりアライメント指標が投影された被検者眼の前眼部を撮影する前眼部観察光学系と、該前眼部観察光学系の光路の一部と前記観察・撮影光学系の光路の一部とを同軸とするために前記赤外光用観察光学系及び可視光用観察光学系の共通光路に挿脱可能に配置されるダイクロイックミラーであって，前記アライメント指標を反射させて前記前眼部観察光学系に導光させるとともに前記アライメント指標の波長以外の他の赤外光の少なくとも一部の波長域を透過させるダイクロイックミラーと、を有し、前記ダイクロイックミラーは光路から挿脱されることにより前記赤外のフォーカス指標と前記可視のフォーカス指標とを切り換える前記光学部材を兼ねることを特徴とする。
（３）  （２）の眼底撮影装置は、散瞳方式の眼底撮影を行うために検者が肉眼で被検者眼眼底を観察するための接眼レンズを持つことを特徴とする眼底撮影装置。
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
眼鏡レンズを保持するレンズチャック軸を回転するレンズ回転手段と、眼鏡レンズの周縁を仕上げ加工する仕上げ加工具と、前記仕上げ加工具が取り付けられた加工具回転軸と前記レンズチャック軸との相対的に位置関係を変える移動手段と、玉型データを入力するデータ入力手段と、入力された玉型（以下、入力玉型）に基づいて前記仕上げ加工具によりレンズの周縁を加工する眼鏡レンズ加工装置において、
レンズの外径形状を検知するレンズ外径検知手段と、
通常のレンズ加工モードからレンズ加工の較正データを得るための自動較正モードに切換える較正モード切換え手段と、
自動較正モードに切換えられたときに、前記レンズチャック軸に保持されたレンズの前記入力玉型に基づく加工に先立ち、前記入力玉型より大きなサイズの較正用玉型を前記入力玉型に基づいて決定する較正用玉型決定手段と、
決定された前記較正用玉型に基づいて前記レンズ回転手段及び移動手段を駆動してレンズを仕上げ加工した後、前記レンズ外径検知手段を動作させて検知されたレンズの外径形状と前記較正用玉型とを比較してレンズ加工の較正データを得る較正データ取得手段と、
前記較正用玉型に基づいて加工されたレンズを、さらに前記入力玉型及び較正データに基づいて前記レンズ回転手段及び移動手段を駆動して加工する加工制御手段と、
を備えることを特徴とする眼鏡レンズ加工装置。
【請求項２】
請求項１の眼鏡レンズ加工装置において、前記較正用玉型決定手段は、前記入力玉型より大きなサイズで、レンズのチャック中心を中心にして同一半径の円形部分を含む較正用玉型を決定し、前記較正データ取得手段は、前記較正用玉型の円形部分と前記レンズ外径検知手段により検知された円形部分のレンズ外径とに基づいて外径サイズの較正データを得ることを特徴とする眼鏡レンズ加工装置。
【請求項３】
請求項２の眼鏡レンズ加工装置において、前記較正用玉型決定手段は、さらに、入力玉型より大きな玉型で所定長さ以上の直線部分を含むように較正用玉型を決定し、前記較正データ取得手段は、前記レンズ外径検知手段により検知される前記直線部分の方向と前記較正用玉型の直線部分の方向とに基づいて、レンズの回転角の較正データを得ることを特徴とする眼鏡レンズ加工装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  眼鏡レンズを保持するレンズチャック軸を回転するレンズ回転手段と、眼鏡レンズの周縁を仕上げ加工する仕上げ加工具と、前記仕上げ加工具が取り付けられた加工具回転軸と前記レンズチャック軸との相対的に位置関係を変える移動手段と、玉型データを入力するデータ入力手段と、入力された玉型（以下、入力玉型）に基づいて前記仕上げ加工具によりレンズの周縁を加工する眼鏡レンズ加工装置において、レンズの外径形状を検知するレンズ外径検知手段と、通常のレンズ加工モードからレンズ加工の較正データを得るための自動較正モードに切換える較正モード切換え手段と、自動較正モードに切換えられたときに、前記レンズチャック軸に保持されたレンズの前記入力玉型に基づく加工に先立ち、前記入力玉型より大きなサイズの較正用玉型を前記入力玉型に基づいて決定する較正用玉型決定手段と、決定された前記較正用玉型に基づいて前記レンズ回転手段及び移動手段を駆動してレンズを仕上げ加工した後、前記レンズ外径検知手段を動作させて検知されたレンズの外径形状と前記較正用玉型とを比較してレンズ加工の較正データを得る較正データ取得手段と、前記較正用玉型に基づいて加工されたレンズを、さらに前記入力玉型及び較正データに基づいて前記レンズ回転手段及び移動手段を駆動して加工する加工制御手段と、を備えることを特徴とする。
（２）  （１）の眼鏡レンズ加工装置において、前記較正用玉型決定手段は、前記入力玉型より大きなサイズで、レンズのチャック中心を中心にして同一半径の円形部分を含む較正用玉型を決定し、前記較正データ取得手段は、前記較正用玉型の円形部分と前記レンズ外径検知手段により検知された円形部分のレンズ外径とに基づいて外径サイズの較正データを得ることを特徴とする。
（３）  （２）の眼鏡レンズ加工装置において、前記較正用玉型決定手段は、さらに、入力玉型より大きな玉型で所定長さ以上の直線部分を含むように較正用玉型を決定し、前記較正データ取得手段は、前記レンズ外径検知手段により検知される前記直線部分の方向と前記較正用玉型の直線部分の方向とに基づいて、レンズの回転角の較正データを得ることを特徴とする。
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
少なくとも片面に金属および／または金属酸化物からなる層が積層される態様で用いられる二軸配向ポリエステルフィルムであって、
金属および／または金属酸化物からなる層が積層される面のＳＲａ（中心面平均粗さ）が１０ｎｍ以上２５ｎｍ以下であり、かつＳＰｃ（山数）が２７０個以上５００個以下であり、１５０℃・３０分における幅方向の熱収縮率が０．１％以上２．０％以下である蒸着用二軸配向ポリエステルフィルム。
【請求項２】
請求項１に記載の蒸着用二軸配向ポリエステルフィルムの少なくとも片面に金属および／または金属酸化物からなる層が積層されたガスバリアフィルム。